(57)【要約】【課題】凹凸屋根材の凸部上を流れる雨水が屋外側に大きく飛び出し難い屋根構造を提供する。【解決手段】屋根下地上に設けられた凹凸屋根材３を備える。凹凸屋根材３が下方に開口し上方に突出する凸部３０と上方に開口し下方に凹む凹部３１を軒に沿う方向に交互に有する。凸部３０の軒側に面戸２が設けられる。面戸２が凸部３０の軒側開口に対向してこの開口を覆う覆い部２１０を有する。覆い部２１０と凸部３０の軒側開口との間に雨水導入空間１５が形成されている。覆い部２１０の上端部を凸部３０の天面部の軒側縁よりも上方に突出して凸部３０の天面部から軒側に向かって流れる雨水を堰き止める堰部２１２とする。雨水導入空間１５の下側に雨水導入空間１５に導入された雨水を排出するための排水口２０１が設けられている。【選択図】図１
2014080725.tif 000002
【特許請求の範囲】
【請求項１】
屋根下地上に設けられた凹凸屋根材を備え、この凹凸屋根材が下方に開口し上方に突出する凸部と上方に開口し下方に凹む凹部を軒に沿う方向に交互に有し、前記凸部の軒側に面戸が設けられた屋根構造であって、前記面戸が前記凸部の軒側開口に対向してこの開口を覆う覆い部を有し、この覆い部と前記凸部の軒側開口との間に雨水導入空間が形成され、前記覆い部の上端部を前記凸部の天面部の軒側縁よりも上方に突出して前記凸部の天面部から軒側に向かって流れる雨水を堰き止める堰部とし、前記雨水導入空間の下側に前記雨水導入空間に導入された雨水を排出するための排水口が設けられたことを特徴とする屋根構造。
【請求項２】
前記面戸が、棟側に向かって突出して前記屋根下地と前記屋根材の前記凹部の間に挟まれる固定片部と、前記堰部から棟側に向けて突出して前記凸部の天面部の上方に配置される押さえ部を有し、この押さえ部と前記凸部の天面部の間に、前記雨水導入空間に連通する隙間が形成されたことを特徴とする請求項１に記載の屋根構造。
【発明の詳細な説明】
【技術分野】
【０００１】
本発明は凹凸屋根材の軒側に面戸を設けた屋根構造に関する。
【背景技術】
【０００２】
特許文献１には折板屋根の端部に面戸が固定された屋根構造が開示されている。
【先行技術文献】
【特許文献】
【０００３】
【特許文献１】特開２０１０−３７８５４号公報
【発明の概要】
【発明が解決しようとする課題】
【０００４】
ところで、凸部と凹部を軒に沿う方向に交互に有する凹凸屋根材にあっては、凸部の上面を軒側に向かって流れる雨水が屋外側に大きく飛び出す可能性がある。そして、このように雨水が屋外側に大きく飛び出すと、軒から離れた箇所に雨水がかかる恐れがある。また、軒樋で受けきれずに軒下に居る人に雨水がかかる可能性もある。
【０００５】
本発明は上記事情に鑑みてなされたものであって、凹凸屋根材の凸部上を流れる雨水が屋外側に大きく飛び出し難い屋根構造を提供することを課題とする。
【課題を解決するための手段】
【０００６】
上記課題を解決するために本発明の屋根構造は、屋根下地上に設けられた凹凸屋根材を備え、この凹凸屋根材が下方に開口し上方に突出する凸部と上方に開口し下方に凹む凹部を軒に沿う方向に交互に有し、前記凸部の軒側に面戸が設けられた屋根構造であって、前記面戸が前記凸部の軒側開口に対向してこの開口を覆う覆い部を有し、この覆い部と前記凸部の軒側開口との間に雨水導入空間が形成され、前記覆い部の上端部を前記凸部の天面部の軒側縁よりも上方に突出して前記凸部の天面部から軒側に向かって流れる雨水を堰き止める堰部とし、前記雨水導入空間の下側に前記雨水導入空間に導入された雨水を排出するための排水口が設けられたことを特徴とする。
【０００７】
また、前記面戸が、棟側に向かって突出して前記屋根下地と前記屋根材の前記凹部の間に挟まれる固定片部と、前記堰部から棟側に向けて突出して前記凸部の天面部の上方に配置される押さえ部を有し、この押さえ部と前記凸部の天面部の間に、前記雨水導入空間に連通する隙間が形成されることが好ましい。
【発明の効果】
【０００８】
本発明にあっては、凹凸屋根材の凸部の上面に沿って軒側に向かって流れた雨水を、面戸の堰部で堰き止めて雨水導入空間に導入し、この後、排水口から排出することができる。このため、凸部の上面に沿って軒側に向かって流れた雨水は屋外側に大きく飛び出し難くなる。
【図面の簡単な説明】
【０００９】
【図１】本発明の実施形態の屋根構造の軒側を示す断面図である。
【図２】同上の屋根構造の斜視図である。
【図３】図２の軒側部分の拡大図である。
【図４】同上の屋根構造の軒側を野地板を省略して下面側から見たときの斜視図である。
【図５】同上の面戸の斜視図である。
【図６】他例の屋根構造の軒側を示した断面斜視図である。
【発明を実施するための形態】
【００１０】
以下、本発明を添付図面に基づいて説明する。本実施形態の屋根構造は図２に示されるように片流れ屋根を有する建物１に適用したものである。以下では、傾斜した屋根面に沿って軒と棟を結ぶ矢印Ｄ１に示す方向を軒棟方向とし、軒に沿う矢印Ｄ２に示す方向を軒方向として説明する。
【００１１】
図１に示されるように建物１軒側の外壁の上端部には屋外側（棟と反対側）に向かって突出する軒部１０が形成されている。軒部１０の屋外側端部は下方程屋内側に位置するように傾斜した鼻隠し１１（鼻板）で構成されている。
【００１２】
建物１の屋根下地は垂木等の構造躯体上に設けられた野地板１２で構成されている。野地板１２は棟側から軒側に向かって一様な角度で下り傾斜しており、屋根勾配と平行である。野地板１２の軒側端部は鼻隠し１１よりも屋外側に突出している。
【００１３】
野地板１２の軒側には図２に示されるように軒方向に長い面戸２が軒方向に並べて複数設けられている。面戸２は鋼板製である。なお、面戸２は鋼板以外の金属板で形成してもよい。また、面戸２の材質は金属に限定されるものではない。
【００１４】
図５に示されるように面戸２は、板状部２０と、複数の閉塞部２１と、各閉塞部２１に設けられた押さえ部２２を有している。
【００１５】
板状部２０は軒方向に長い矩形状に形成されている。閉塞部２１は板状部２０の屋外側部分において軒方向に所定の間隔を介して複数並べて設けられている。各閉塞部２１は板状部２０上に立設されている。各閉塞部２１は、屋外側の面を構成する覆い部２１０と、側面を構成する両側の側面部２１１を有している。
【００１６】
覆い部２１０は板状部２０の軒側端部から立ち上げられている。覆い部２１０は板状に形成されており、板状部２０との成す角度が鋭角となるように上方程棟側に位置するように傾斜している。覆い部２１０は図１に示されるように面戸２を施工したときに屋根勾配よりも急な傾斜で屋外側に向かって下り傾斜する。また、各覆い部２１０の上端部は、対応する凸部３０の天面部の軒側縁よりも上方に突出して、対応する凸部３０の天面部から軒側に向かって流れる雨水を堰き止める堰部２１２を構成する。
【００１７】
図５に示されるように各閉塞部２１の両側面部２１１は板状部２０に対して垂直に起立しており、覆い部２１０の側縁部と板状部２０の間を閉塞している。
【００１８】
面戸２の各押さえ部２２は覆い部２１０の上縁部、すなわち、堰部２１２の上縁部から棟側に向かって突出している。押さえ部２２は板状部２０と略平行な片状に形成されている。詳しくは、押さえ部２２は棟側に行く程板状部２０から離れるように僅かに傾斜している。
【００１９】
図１に示されるように板状部２０において各閉塞部２１の覆い部２１０に対応する部分、すなわち、各覆い部２１０が投影される部分は下覆い部２０３となっている。下覆い部２０３には、板状部２０の厚み方向に貫通する排水口２０１が形成されている。各排水口２０１は図４に示されるように軒方向に長い矩形状の孔で構成されている。本実施形態では閉塞部２１毎に軒棟方向に並ぶ一対の排水口２０１が形成されている。これら軒棟方向に並ぶ一対の排水口２０１のうちの屋外側に位置する排水口２０１は、下覆い部２０３において覆い部２１０との接続部分に至るまで形成されている。
【００２０】
面戸２の板状部２０は、各閉塞部２１よりも棟側に突出した部分が固定部２００となっている。図１に示されるように面戸２の固定部２００は野地板１２に載置されている。固定部２００はビスや釘等の固着具による固着あるいは接着剤による接着によって野地板１２の軒側端部に固定されている。面戸２の板状部２０の屋外側部分は野地板１２より屋外側に突出している。面戸２の各排水口２０１は野地板１２よりも屋外側に配置されている。
【００２１】
野地板１２上には図２に示されるように凹凸屋根材３が軒方向に複数並べて載置されている。各凹凸屋根材３の軒側部分は、図１に示されるように面戸２の固定部２００を介して野地板１２に載置されている。
【００２２】
各凹凸屋根材３は鋼板製である。なお、各凹凸屋根材３は鋼板以外の金属板で形成してもよく、また、その材質は金属に限定されるものではない。各凹凸屋根材３は、図２に示されるように下方に開口し上方に突出する凸部３０と上方に開口し下方に凹む凹部３１を有している。凸部３０と凹部３１は軒方向に交互に形成されている。各凸部３０の側面部は隣接する凹部３１の側面部を兼ねている。同側面部は凸部３０の天面部や凹部３１の底面部に対して直交している。凹凸屋根材３の凹部３１の底面部と野地板１２との間には面戸２の固定部２００が挟まれて固定されている。
【００２３】
図示は省略するが、隣り合う凹凸屋根材３同士は野地板１２上に設けられた連結具を介して連結されている。連結具は例えばビスや釘等の固着具による固着によって野地板１２に固定される。これにより、各凹凸屋根材３は連結具を介して野地板１２に固定される。また、連結具にはカバー部材が取り付けられ、カバー部材によって隣り合う凹凸屋根材３の間の部分、及びここに配置された連結具が覆われている。
【００２４】
図１に示されるように、野地板１２とこの上に配置された各凹凸屋根材３の間には、通気空間１３が形成されている。通気空間１３は凸部３０と野地板１２とで囲まれた空間であって、軒方向に凹凸屋根材３の凸部３０と同数形成されている。各通気空間１３は凹凸屋根材３の軒棟方向における略全長に亘って形成されている。
【００２５】
凹凸屋根材３の各凸部３０の軒側端部は、対応する押さえ部２２と面戸２の板状部２０との間に挿入されている。面戸２の各閉塞部２１は対応する凹凸屋根材３の凸部３０の屋外側に配置されている。各閉塞部２１の覆い部２１０は対応する凸部３０の軒側開口に対向し、この開口を屋外側から覆う。各覆い部２１０は対応する凸部３０の屋外側に離間して配置されている。各覆い部２１０と対応する凸部３０の軒側開口との間には、雨水導入空間１５が形成されている。
【００２６】
図３に示されるように各閉塞部２１の側面部２１１は対応する凸部３０の側面部の屋外側に隣接して配置され、雨水導入空間１５の側方を覆っている。図１に示されるように面戸２の下覆い部２０３は、雨水導入空間１５の下側を覆うように配置されている。このように各凸部３０の軒側開口は面戸２の対応する閉塞部２１によって閉塞され、これにより通気空間１３には雨水や小鳥、虫等が入り難くなっている。
【００２７】
面戸２の各排水口２０１は凸部３０よりも屋外側に配置されている。各排水口２０１は雨水導入空間１５を介して対応する凸部３０内に形成された通気空間１３に連通している。これにより、通気空間１３には面戸２の排水口２０１を介して外気が導入されるようになっている。すなわち、面戸２の各排水口２０１は通気空間１３に外気を導入する通気口を兼用する。また、図示は省略するが、各凸部３０の棟側端部は開放されており、これにより各通気空間１３に導入された外気は棟側から排出されるようになっている。
【００２８】
面戸２の各覆い部２１０の上端部を構成する堰部２１２は、凸部３０の天面部の軒側端部よりも屋外側に離間して配置されている。面戸２の各堰部２１２の上端部から棟側に突出した押さえ部２２は、対応する凸部３０の軒側端部の上方に位置している。これにより、凹凸屋根材３が風等を要因として野地板１２から浮き上がろうとしたとき、この凹凸屋根材３の凸部３０の天面部の軒側端部が押さえ部２２によって押さえられるようになっている。
【００２９】
各押さえ部２２と対応する凸部３０の天面部の間には雨水導入空間１５に連通する隙間１６が形成されている。このため、凸部３０の上面に沿って軒側に向かって流れた雨水は、図１の矢印ａに示されるように隙間１６を通過して覆い部２１０の堰部２１２で堰き止められ、この後、雨水導入空間１５に導入されるようになる。そしてこのように雨水導入空間１５に導入された雨水は、面戸２の下覆い部２０３で受けられた後あるいは直接排水口２０１に至り、この排水口２０１から雨水導入空間１５の外部に排出される。
【００３０】
軒棟方向に並ぶ一対の排水口２０１のうち、屋外側に位置する排水口２０１は覆い部２１０との接続部分に至るまで形成されている。このため、面戸２の下覆い部２０３で受けられた雨水が、下覆い部２０３の傾斜によって屋外側に流れたとき、この雨水を屋外側に位置する排水口２０１から排出することができる。従って、下覆い部２０３上には雨水が溜まり難くなる。なお、排水口２０１の位置は図１に示されるものに限られない。例えば図６に示されるように排水口２０１を下覆い部２０３において覆い部２１０から棟側に離れた位置に形成してもよい。
【００３１】
図１の矢印ｂで示されるように凸部３０の上面に沿って軒側に向かって流れる雨水は、面戸２の押さえ部２２を乗り越えた後、屋外側に大きく飛び出す可能性がある。ここで、本実施形態では、押さえ部２２を乗り越えた雨水が、押さえ部２２の上面から覆い部２１０の屋外側の面に至った後、覆い部２１０の傾斜した屋外側の面に沿って屋外側に流れ、この後、覆い部２１０の下端部から流れ落ちるようになっている。このため、面戸２の押さえ部２２を乗り越えた雨水が、屋外側に大きく飛び出し難くなっている。
【００３２】
図３に示されるように面戸２の板状部２０の屋外側部分において凹部３１に対応する部分（閉塞部２１が設けられていない部分）は、導水部２０２となっている。導水部２０２は凹凸屋根材３の対応する凹部３１の底面部の屋外側に隣接するように配置されている。凹部３１から屋外側に排出された雨水は導水部２０２上に至った後、導水部２０２の上面に沿って屋外側に流れ、この後、導水部２０２の屋外側の縁部から流れ落ちるようになっている。
【００３３】
図１に示されるように軒部１０の屋外側には、軒樋４が軒部１０に沿って設けられている。軒樋４は取付具（不図示）を介して鼻隠し１１に取り付けられている。面戸２の各排水口２０１、覆い部２１０の下端部、及び導水部２０２の屋外側の縁部は、建物１外壁に直交する屋内外方向において軒樋４の両側の壁部の間に位置している。このため、各排水口２０１から排出された雨水、覆い部２１０の下端部及び導水部２０２の屋外側の縁部から落下した雨水は軒樋４で受けられるようになっている。
【００３４】
図２に示されるように複数の凹凸屋根材３で構成される屋根面上には、機能パネルとしての太陽光発電パネル５が設けられている。太陽光発電パネル５は、シリコンを主材料とした半導体素子により太陽光エネルギーを電気エネルギーに変換して出力するものである。太陽光発電パネル５は複数の凸部３０の上面に跨って載置されている。このように凸部３０の上面に載置された太陽光発電パネル５は、凸部３０内側の通気空間１３を流れる外気により太陽光発電パネル５を冷却することができる。太陽光発電パネル５は、周囲の雰囲気温度が高い場合や、直射日光が長時間照射された場合等に、発電素子が高温になって発電効率（変換効率）が低下する恐れがある。しかし、本実施形態では太陽光発電パネル５を通気空間１３を流れる外気により冷却することができるので、太陽光発電パネル５の発電効率の低下を抑えることができる。
【００３５】
以上説明したように本実施形態の屋根構造では、面戸２の覆い部２１０と凸部３０の軒側開口との間に雨水導入空間１５が形成される。また、覆い部２１０の上端部を凸部３０の天面部の軒側縁よりも上方に突出して凸部３０の天面部から軒側に向かって流れる雨水を堰き止める堰部２１２とする。また、雨水導入空間１５の下側に雨水を排出するための排水口２０１が設けられている。このため、凸部３０の上面に沿って軒側に向かって流れた雨水を堰部２１２で堰き止めて雨水導入空間１５に導入し、この後、排水口２０１から排出して軒樋４に導くことができる。従って、凸部３０の上面に沿って軒側に向かって流れた雨水は屋外側に大きく飛び出し難くなる。
【００３６】
また、本実施形態では、面戸２の堰部２１２の上端部から棟側に向けて突出した押さえ部２２と凸部３０の天面部の間に、雨水導入空間１５に連通する隙間１６が形成される。このため、凸部３０の上面に沿って軒側に向かって流れた雨水を押さえ部２２と凸部３０の天面部の間の隙間１６を介して堰部２１２に導くことができる。また、面戸２は棟側に向かって突出して野地板１２と凹凸屋根材３の凹部３１の間に挟まれる固定部２００を有している。このため、面戸２を野地板１２に対して固定してしっかりと取り付けることができる。また、このように固定された面戸２の押さえ部２２は凸部３０の天面部の上方に配置される。このため、凹凸屋根材３が風等を要因として野地板１２より浮き上がろうとしたとき、この凹凸屋根材３の凸部３０の天面部の軒側端部を押さえ部２２によって上方から押さえることができる。よって、凹凸屋根材３を浮き上がり難くすることができる。
【００３７】
なお、本実施形態では、面戸２に押さえ部２２を設けたが、押さえ部２２は省略可能である。また、本実施形態では雨水導入空間１５から雨水を排出するための排水口２０１を面戸２に形成したが、排水口２０１は雨水導入空間１５の下側に配置される他の部材に形成しても構わない。また、本実施形態では機能パネルを太陽光発電パネル５で構成したが、その他の機能を有するパネルで構成しても構わない。また、本発明は片流れ屋根だけではなく切妻屋根等のその他の形状の屋根にも適用可能である。その他、本発明は上記し且つ図面に示した実施形態にのみ限定されるものではなく、要旨を逸脱しない範囲内で適宜変更して実施し得るものである。
【符号の説明】
【００３８】
２  面戸
３  凹凸屋根材
１５  雨水導入空間
１６  隙間
２２  押さえ部
３０  凸部
３１  凹部
２００  固定部
２０１  排水口
２１０  覆い部
２１２  堰部
【図１】
2014080725.tif 000003
【図２】
2014080725.tif 000004
【図３】
2014080725.tif 000005
【図４】
2014080725.tif 000006
【図５】
2014080725.tif 000007
【図６】
2014080725.tif 000008